(57)【要約】【課題】データ送受信作業を伴う各種画像処理作業の効率化を図ることを目的とする。【解決手段】携帯端末装置とデータの送受信を行う送受信手段と、画像処理に対応する画像処理オブジェクトを表示する表示手段と、を有し、携帯端末装置と通信が確立し、表示手段に表示されている画像処理オブジェクトが選択された場合、携帯端末装置より送信されたデータに対して、選択された画像処理オブジェクトに対応する画像処理を施すことによって課題を解決する。【選択図】図１
2008060834.tif 000002
【特許請求の範囲】
【請求項１】
携帯端末装置とデータの送受信を行う送受信手段と、
画像処理に対応する画像処理オブジェクトを表示する表示手段と、
を有し、
前記携帯端末装置と通信が確立し、前記表示手段に表示されている画像処理オブジェクトが選択された場合、前記携帯端末装置より送信されたデータに対して、前記選択された画像処理オブジェクトに対応する画像処理を施すことを特徴とする画像処理装置。
【請求項２】
前記携帯端末装置と通信が確立すると、データ送受信モードに移行し、データ送受信モードにおいて、前記表示手段に表示されている画像処理オブジェクトが選択された場合、前記携帯端末装置より送信されたデータに対して、前記選択された画像処理オブジェクトに対応する画像処理を施すことを特徴とする請求項１に記載の画像処理装置。
【請求項３】
前記携帯端末装置と通信が確立しなくなると、前記データ送受信モードを終了することを特徴とする請求項２に記載の画像処理装置。
【請求項４】
前記表示手段は、データに対応するデータオブジェクトを更に表示し、
前記携帯端末装置と通信が確立し、前記表示手段に表示されているデータオブジェクトが選択された場合、前記送受信手段を介して選択されたデータオブジェクトに対応するデータを前記携帯端末装置に送信することを特徴とする請求項１乃至３の何れか１項に記載の画像処理装置。
【請求項５】
前記画像処理装置は、ファクシミリであり、
前記表示手段は、公衆回線を用いた画像に係るデータの転送処理に対応するＦＡＸ機能オブジェクトを表示することを特徴とする請求項１乃至４の何れか１項に記載の画像処理装置。
【請求項６】
画像処理装置とデータの送受信を行う送受信手段と、
データに対応するデータオブジェクトを表示する表示手段と、
を有し、
前記画像処理装置と通信が確立し、前記表示手段に表示されているデータオブジェクトが選択された場合、前記送受信手段を介して前記選択されたデータオブジェクトに対応するデータを前記画像処理装置に送信することを特徴とする携帯端末装置。
【請求項７】
前記画像処理装置と通信が確立すると、データ送受信モードに移行し、データ送受信モードにおいて、前記表示手段に表示されているデータオブジェクトが選択された場合、前記送受信手段を介して前記選択されたデータオブジェクトに対応するデータを前記画像処理装置に送信することを特徴とする請求項６に記載の携帯端末装置。
【請求項８】
前記画像処理装置と通信が確立しなくなると、前記データ送受信モードを終了することを特徴とする請求項７に記載の携帯端末装置。
【請求項９】
前記画像処理装置と通信が確立し、前記表示手段に表示されている、ユーザーによるコピー＆ペースト操作に応じて前記画像処理装置より送信されてきた前記画像処理装置の表示手段に表示されているデータオブジェクトに対応するデータがコピー＆ペーストされたエディタアプリケーションに係るデータオブジェクトが選択された場合、前記送受信手段を介して前記選択されたデータオブジェクトに対応するデータを前記画像処理装置に送信することを特徴とする請求項６に記載の携帯端末装置。
【請求項１０】
画像処理装置と、携帯端末装置とを有する画像処理システムであって、
前記携帯端末装置は、
画像処理装置とデータの送受信を行う送受信手段と、
データに対応するデータオブジェクトを表示する表示手段と、
を有し、
前記画像処理装置と通信が確立し、前記表示手段に表示されているデータオブジェクトが選択された場合、前記送受信手段を介して前記選択されたデータオブジェクトに対応するデータを前記画像処理装置に送信し、
前記画像処理装置は、
携帯端末装置とデータの送受信を行う送受信手段と、
画像処理に対応する画像処理オブジェクトを表示する表示手段と、
を有し、
前記携帯端末装置と通信が確立し、前記表示手段に表示されている画像処理オブジェクトが選択された場合、前記携帯端末装置より送信されたデータに対して、前記選択された画像処理オブジェクトに対応する画像処理を施すことを特徴とする画像処理システム。
【請求項１１】
前記画像処理装置は、ファクシミリであり、
前記画像処理装置の前記表示手段は、公衆回線を用いた画像に係るデータの転送処理に対応するＦＡＸ機能オブジェクトを表示することを特徴とする請求項１０に記載の画像処理システム。
【請求項１２】
前記携帯端末装置は、前記画像処理装置と通信が確立し、前記携帯端末装置の前記表示手段に表示されている、ユーザーによるコピー＆ペースト操作に応じて前記画像処理装置より送信されてきた前記画像処理装置の前記表示手段に表示されているデータオブジェクトに対応するデータがコピー＆ペーストされたエディタアプリケーションに係るデータオブジェクトが選択された場合、前記携帯端末装置の前記送受信手段を介して前記選択されたデータオブジェクトに対応するデータを前記画像処理装置に送信することを特徴とする請求項１０に記載の画像処理システム。
【請求項１３】
画像処理装置における画像処理方法であって、
携帯端末装置とデータの送受信を行う送受信工程と、
画像処理に対応する画像処理オブジェクトを表示する表示工程と、
を有し、
前記携帯端末装置と通信が確立し、前記表示工程において表示している画像処理オブジェクトが選択された場合、前記携帯端末装置より送信されたデータに対して、前記選択された画像処理オブジェクトに対応する画像処理を施すことを特徴とする画像処理方法。
【請求項１４】
前記画像処理装置は、ファクシミリであり、
前記表示工程では、公衆回線を用いた画像に係るデータの転送処理に対応するＦＡＸ機能オブジェクトを表示することを特徴とする請求項１３に記載の画像処理方法。
【請求項１５】
携帯端末装置におけるデータ処理方法であって、
画像処理装置とデータの送受信を行う送受信工程と、
データに対応するデータオブジェクトを表示する表示工程と、
を有し、
前記画像処理装置と通信が確立し、前記表示工程において表示しているデータオブジェクトが選択された場合、前記送受信工程において、前記選択されたデータオブジェクトに対応するデータを前記画像処理装置に送信することを特徴とするデータ処理方法。
【請求項１６】
前記画像処理装置と通信が確立し、前記表示工程において表示している、ユーザーによるコピー＆ペースト操作に応じて前記画像処理装置より送信されてきた前記画像処理装置の表示手段に表示されているデータオブジェクトに対応するデータがコピー＆ペーストされたエディタアプリケーションに係るデータオブジェクトが選択された場合、前記送受信工程において、前記選択されたデータオブジェクトに対応するデータを前記画像処理装置に送信することを特徴とする請求項１５に記載のデータ処理方法。
【請求項１７】
画像処理装置と、携帯端末装置とを有する画像処理システムにおける画像処理方法であって、
前記携帯端末装置が、
画像処理装置とデータの送受信を行う送受信工程と、
データに対応するデータオブジェクトを表示する表示工程と、
を有し、
前記画像処理装置と通信が確立し、前記表示工程において表示しているデータオブジェクトが選択された場合、前記送受信工程において、前記選択されたデータオブジェクトに対応するデータを前記画像処理装置に送信し、
前記画像処理装置が、
携帯端末装置とデータの送受信を行う送受信工程と、
画像処理に対応する画像処理オブジェクトを表示する表示工程と、
を有し、
前記携帯端末装置と通信が確立し、前記表示工程において表示している画像処理オブジェクトが選択された場合、前記携帯端末装置より送信されたデータに対して、前記選択された画像処理オブジェクトに対応する画像処理を施すことを特徴とする画像処理方法。
【請求項１８】
前記画像処理装置は、ファクシミリであり、
前記画像処理装置の前記表示工程では、公衆回線を用いた画像に係るデータの転送処理に対応するＦＡＸ機能オブジェクトを表示することを特徴とする請求項１７に記載の画像処理方法。
【請求項１９】
前記携帯端末装置は、前記画像処理装置と通信が確立し、前記携帯端末装置の前記表示工程において表示している、ユーザーによるコピー＆ペースト操作に応じて前記画像処理装置より送信されてきた前記画像処理装置の表示手段に表示されているデータオブジェクトに対応するデータがコピー＆ペーストされたエディタアプリケーションに係るデータオブジェクトが選択された場合、前記送受信工程において、前記選択されたデータオブジェクトに対応するデータを前記画像処理装置に送信することを特徴とする請求項１７に記載の画像処理方法。
【請求項２０】
請求項１３又は１４に記載の画像処理方法、又は請求項１５又は１６に記載のデータ処理方法、又は請求項１７乃至１９の何れか１項に記載の画像処理方法をコンピュータに実行させることを特徴とするプログラム。
【請求項２１】
請求項２０に記載のプログラムを記憶したコンピュータ読み取り可能な記憶媒体。
【発明の詳細な説明】
【技術分野】
【０００１】
本発明は、画像処理装置、携帯端末装置及び画像処理システムに関する。
【背景技術】
【０００２】
コピー機やプリンタ等の画像処理装置と、デジタルカメラや携帯電話、ＰＤＡを始めとする携帯端末装置（以下、携帯端末ともいう）や携帯型パーソナルコンピュータ（ＰＣ）とを直接接続し、これら携帯端末内の画像やデータの印刷をすることがある。ここで、ＰＤＡとは、Ｐｅｒｓｏｎａｌ  Ｄｉｇｉｔａｌ  Ａｓｓｉｓｔａｎｔの略である。
【０００３】
通常、コピー機等の画像処理装置と、ＰＤＡ等の携帯端末が接続されると、画像処理装置の表示装置に、データを転送するための専用の操作画面が表示される。
【０００４】
これは、画像処理装置の表示装置上に、携帯端末のファイルを一覧表示し、そこから操作対象を選択した上で、その後印刷等の実際の操作を指定するものである。
【０００５】
また、携帯端末が、ノートＰＣやタブレットＰＣ等、比較的高解像度な表示装置を備えている場合は、画像処理装置と携帯端末とが通信可能となった場合に、携帯端末側の表示装置に、画像処理装置の処理内容を表示してそれを指示することもある。更に、そこで画像処理装置側のフォルダを表示し、そこに携帯端末のファイルをドラッグ＆ドロップすることで、一度ファイルを画像処理装置側に送ってから、画像処理装置側の表示装置において処理内容を指示することもある。
【０００６】
特許文献１では、ホットフォルダと呼ばれる仮想的なフォルダを表示させ、そこに印刷を行ないたいファイルをドラッグ＆ドロップすることで、データを印刷可能にしている。
【０００７】
また、特許文献２においても、特定の役割を持たせたウィンドウにファイルをドラッグ＆ドロップすることで、遠隔地へのファイル転送を指示することが可能になっている。
【０００８】
【特許文献１】特開２００５−２４２７８１号公報
【特許文献１】特開平８−２７２７１５号公報
【発明の開示】
【発明が解決しようとする課題】
【０００９】
上述したような画像処理装置と携帯端末とにおける処理指示操作においては、画像処理装置の表示装置に携帯端末のファイルを表示する。
【００１０】
一般に、画像処理装置におけるファイルの表示方法は、携帯端末のそれとは異なる操作方法である場合が多く、画像処理装置をあまり使用したことの無いユーザーは、操作方法に手間取ることになる。
【００１１】
また、携帯端末側の表示装置に、ホットフォルダ等の画像処理装置における処理をシンボル化したものを表示する場合、ＰＤＡ等の比較的表示領域の狭い携帯端末では、フォルダ表示のために他の表示領域を更に狭める必要があり、操作性が悪くなる。
【００１２】
また、ウィンドウシステムを持たない携帯端末においては、ホットフォルダそのものの表示が技術的に困難なことも多く、このような方法を採用できない場合がある。
【００１３】
更に、ホットフォルダによるデータ転送では、機器間で相互にデータを通信する場合、一度ホットフォルダへのドラッグ＆ドロップを行なってデータを転送してから、データを目的の処理機能に送らなければならない。
【００１４】
このため、ホットフォルダを介する分、操作回数が多くなり、処理手順が煩雑になってしまう問題がある。
【００１５】
本発明はこのような問題点に鑑みなされたもので、データ送受信作業を伴う各種画像処理作業の効率化を図ることを目的とする。
【課題を解決するための手段】
【００１６】
そこで、本発明の画像処理装置は、携帯端末装置とデータの送受信を行う送受信手段と、画像処理に対応する画像処理オブジェクトを表示する表示手段と、を有し、前記携帯端末装置と通信が確立し、前記表示手段に表示されている画像処理オブジェクトが選択された場合、前記携帯端末装置より送信されたデータに対して、前記選択された画像処理オブジェクトに対応する画像処理を施すことを特徴とする。
【００１７】
係る構成とすることにより、データ送受信作業を伴う各種画像処理作業の効率化を図ることができる。
【００１８】
なお、オブジェクトとは、例えば、後述するアイコン等である。ここで、アイコンとは、例えば、後述する表示装置（操作部又はタッチパネル）上の画面において、処理の内容や対象を絵や記号等で表現したものである。また、画像処理装置とは、例えば、後述する画像処理装置（複合機）、又はスキャナ、又はプリンタ、又はコピー機、又はファクシミリ等に対応する。
【００１９】
また、本発明は、携帯端末装置、画像処理システム、画像処理方法、データ処理方法、プログラム及び記憶媒体としてもよい。
【発明の効果】
【００２０】
本発明によれば、データ送受信作業を伴う各種画像処理作業の効率化を図ることができる。
【発明を実施するための最良の形態】
【００２１】
以下、本発明の実施形態について図面に基づいて説明する。
【００２２】
＜実施形態１＞
図１は、本実施形態における画像処理装置の内部構成を示すブロック図である。
この画像処理装置は、図１に示すように、スキャナ１１９及びプリンタ１２１を接続すると共に、ＬＡＮ１０８及び公衆回線（ＷＡＮ）１１０、無線通信１１２を接続することが可能なコントローラユニット１００を備える。
【００２３】
コントローラユニット１００は、コピー機能、ＬＡＮ１０８や無線通信１１２を介して外部から供給されるデータをプリント出力するプリンタ機能、画像情報やデバイス情報の入出力、に関する制御を行うと共に、装置全体の制御を行う。
【００２４】
また、コントローラユニット１００は、公衆回線（ＷＡＮ）１１０を介したファクシミリ機能を含む通信機能における制御も行う。
【００２５】
コントローラユニット１００は、各種制御プログラムを実行するＣＰＵ１０１を有する。ＣＰＵ１０１は、ＲＯＭ１０３に格納されているブートプログラムに基づきシステムを起動し、このシステム上でＨＤＤ（ハードディスク装置）１０４に格納されている制御プログラムを読み出してＲＡＭ１０２をワークエリアとして所定の処理を実行する。
【００２６】
ＨＤＤ１０４には、上記各種制御プログラムが格納されると共に、画像データが格納される。
【００２７】
ＣＰＵ１０１には、ＲＡＭ１０２、ＲＯＭ１０３、ＨＤＤ１０４と共に、操作部Ｉ／Ｆ（操作部インタフェース）１０５、ＬＡＮＩ／Ｆ（ＬＡＮインタフェース）１０７、モデム１０９、無線通信装置１１１がシステムバス１１３を介して接続されている。また、ＣＰＵ１０１には、イメージバスＩ／Ｆ（イメージバスインタフェース）１１４もシステムバス１１３を介して接続されている。
【００２８】
操作部Ｉ／Ｆ１０５は、操作部１０６とのインタフェースであって、操作部１０６に表示する画像データの操作部１０６への転送、操作部１０６における操作入力により発生した信号のＣＰＵ１０１への転送等を行う。
【００２９】
操作部１０６は、画像処理に関する各機能における現在の設定状態、各機能に関する設定情報を入力するための情報入力画面等を表示するための表示部、ユーザーが各機能に対する設定情報を入力するキー等を含む入力部等を有する。
【００３０】
ＬＡＮＩ／Ｆ１０７は、ＬＡＮ１０８に接続され、ＬＡＮ１０８を介した情報の入出力を行う。
【００３１】
モデム１０９は、公衆回線１１０に接続され、公衆回線１１０を介した情報の入出力を行う。
【００３２】
無線通信装置１１１は、無線回線１１２に接続され、Ｂｌｕｅｔｏｏｔｈ等の無線通信規格に従って他の無線通信可能なデバイスや無線中継基地とのデータ送受信を行う。
【００３３】
イメージバスＩ／Ｆ１１４は、画像バス１１５とシステムバス１１３とを接続し、データ構造を変換するバスブリッジからなる。
【００３４】
画像バス１１５は、画像データを高速で転送可能なＰＣＩバス又はＩＥＥＥ１３９４規格に従うバスから構成される。
【００３５】
画像バス１１５には、ＲＩＰ（ラスタイメージプロセッサ）１１６、デバイスＩ／Ｆ（デバイスインタフェース）１１７、スキャナ画像処理部１２２、プリンタ画像処理部１２３、画像回転処理部１２４及び画像圧縮処理部１２５が接続されている。
【００３６】
ＲＩＰ１１６は、ＰＤＬコードをビットマップイメージに展開する。
デバイスＩ／Ｆ１１７は、画像入出力デバイスであるスキャナ１１９やプリンタ１２１とコントローラユニット１００とを接続し、画像データの同期系／非同期系の変換を行う。ここでは、デバイスＩ／Ｆ１１７とスキャナ１１９とがケーブル１１８を介して、デバイスＩ／Ｆ１１７とプリンタ１２１とがケーブル１２０を介してそれぞれ接続されている。
【００３７】
スキャナ画像処理部１２２は、入力画像データに対し補正、加工、編集を行う。
プリンタ画像処理部１２３は、プリント出力画像データに対して、プリンタの補正、解像度変換等を行う。
画像回転処理部１２４は、画像データの回転処理を行う。
画像圧縮処理部１２５は、多値画像データに対してはＪＰＥＧ、二値画像データに対してＪＢＥＧ、ＭＭＲ、ＭＨ等の圧縮伸張処理を行う。
【００３８】
このように、コントローラユニット１００のＣＰＵ１０１は、各制御プログラムに基づきシステムバス１１３に接続される各種デバイスとのアクセスを総括的に制御すると共に、デバイスＩ／Ｆ１１７を介してスキャナ１１９から画像情報を読み込む。更に、コントローラユニット１００のＣＰＵ１０１は、読み込んだ画像情報に対して所定の処理を施した後に、画像情報をデバイスＩ／Ｆ１１７を介してプリンタ１２１に出力する等の制御を行う。
【００３９】
次に、ＣＰＵ１０１による操作部１０６に対する制御について図２を参照しながら説明する。図２は、操作部１０６及びその周辺の構成を示すブロック図である。
【００４０】
操作部１０６は、タッチパネル２０３及び各ハードキーのキー群２０２が操作部Ｉ／Ｆ１０５の入力ポート２０１を介してＣＰＵ１０１に接続される。
【００４１】
また、このタッチパネル２０３の押下位置を示す位置情報及びキー群２０２の押下に対応するキー情報は、入カポート２０１を介してＣＰＵ１０１に入力される。
【００４２】
操作部１０６のＬＥＤ２０５及びＬＣＤ２０６は、操作部Ｉ／Ｆ１０５の出力ポート２０４を介してＣＰＵ１０１に接続され、ＬＥＤ２０５の点灯及びＬＣＤ２０６の表示はＣＰＵ１０１により制御される。
【００４３】
通常、タッチパネル２０３は、透明なシート状の感圧装置であり、ＬＣＤ２０６の上に重なるように配置される。
【００４４】
ユーザーがＬＣＤ２０６上に表示された仮想的なアイコン等の操作対象物を直接触れることで、タッチパネル２０３がその位置座標を検知する。
【００４５】
更に、ＣＰＵ１０１が、現在ＬＣＤ２０６上に表示している対象物とその位置座標情報とを基に、ユーザーが指示した操作対象が何であるかを認識できるようになっている。
【００４６】
図３は、本実施形態における携帯端末の内部構成を示すブロック図である。操作部１０６０は、タッチパネル２０３０及び各ハードキーのキー群２０２０が操作部Ｉ／Ｆ１０５０の入力ポート２０１０を介してＣＰＵ１０１０に接続される。
【００４７】
また、このタッチパネル２０３０の押下位置を示す位置情報及びキー群２０２０の押下に対応するキー情報は、入カポート２０１０を介してＣＰＵ１０１０に入力される。
【００４８】
操作部１０６０のＬＥＤ２０５０及びＬＣＤ２０６０は、操作部Ｉ／Ｆ１０５０の出力ポート２０４０を介してＣＰＵ１０１０に接続され、ＬＥＤ２０５０の点灯及びＬＣＤ２０６０の表示はＣＰＵ１０１０により制御される。
【００４９】
通常、タッチパネル２０３０は、透明なシート状の感圧装置であり、ＬＣＤ２０６０の上に重なるように配置される。
【００５０】
ユーザーがＬＣＤ２０６０上に表示された仮想的なアイコン等の操作対象物を直接触れることで、タッチパネル２０３０がその位置座標を検知する。
【００５１】
更に、ＣＰＵ１０１０が、現在ＬＣＤ２０６０上に表示している対象物とその位置座標情報とを基に、ユーザーが指示した操作対象が何であるかを認識できるようになっている。
【００５２】
ＣＰＵ１０１０、ＲＯＭ１０３０に格納されているブートプログラムに基づきシステムを起動し、このシステム上でＨＤＤ（ハードディスク装置）１０４０に格納されている制御プログラムを読み出してＲＡＭ１０２０をワークエリアとして所定の処理を実行する。
【００５３】
ＨＤＤ１０４０には、前記各種制御プログラムが格納されると共に、後述する文書ファイル等が格納される。
【００５４】
通信Ｉ／Ｆ装置１０４０は、画像処理装置のＬＡＮＩ／Ｆ１０７及び無線通信装置等に対応し、ネットワークを介した情報（又はデータ）の入出力を行う。
【００５５】
図４は、本実施形態における画像処理装置等の概観を示す図である。
スキャナ部３０１は、原稿を電子的なデータとして読み取る装置であり、図１におけるスキャナ１１９に相当する。スキャナ部３０１において読み込こまれたデータはコントローラユニット１００のスキャナ画像処理部１２２において処理される。
【００５６】
プリンタ部３０２は、画像データを紙等のメディアに印刷する装置であり、図１におけるプリンタ１２１に相当する。
【００５７】
また、フィニッシャ３０３は、プリンタ部３０２において印刷された用紙に対して、ステープルや折り等のフィニッシング処理を行う。
【００５８】
操作部パネル３０５は、ＬＣＤ表示部３０６とタッチパネル３０７とを備えた立面パネルである。ＬＣＤ表示部３０６とタッチパネル３０７とは、重なり合うように配置されており、ユーザーがＬＣＤ表示部３０６に表示されたアイコン等の操作対象を、タッチパネル３０７を介して触れることで、ユーザーの指示を装置が解釈可能になっている。
【００５９】
デバイスポート３０８は、無線通信の送受信アンテナを内部に備えた、小型の携帯端末の設置台である。
【００６０】
この設置台に、ノートＰＣ等の無線通信機能を備えた携帯端末３０９をセットすることで、無線通信を介して、画像処理装置とデータの送受信を行うことができる。
【００６１】
デバイスポート３０８にセットされた携帯端末３０９は、画像処理装置と無線通信を開始した後も、携帯端末３０９自身の操作部や入力装置を使用してユーザーが操作可能である。
【００６２】
次に、画像処理装置が読み込んだ原稿の任意ページを、携帯端末側の文書エディタに画像データとして取り込み、更に画像データを取り込んだ文書データを画像処理装置側のＦＡＸ送信機能を使って送信するまでの操作を説明する。
【００６３】
まず、ユーザーは、画像処理装置のデバイスポート３０８に携帯端末３０９をセットし、無線通信機能によってお互いにデータの交換が可能になった状態にし、更にＦＡＸする文書に取り込みたい原稿を、画像処理装置によってスキャンする。
【００６４】
図５は、画像処理装置のＬＣＤ表示部３０６に表示される操作画面（又は表示画面）を示した図である。
表示画面４０１は、ＬＣＤ表示部３０６に表示されており、そこに表示されているアイコン等の操作対象は、タッチパネル３０７を介してユーザーが指示可能になっている。
【００６５】
スキャン画像表示領域４０２では、画像処理装置のスキャナ部３０１で読み込み、電子データとしてＨＤＤ１０４等に保存した原稿がページごとに表示されている。
【００６６】
画像データアイコン４０３は、読み込んだ原稿の１ページを示すアイコンであり、ＦＡＸする文書に取り込みたい画像データである。
【００６７】
ＦＡＸ機能アイコン４０４は、ＦＡＸ機能を起動する場合にユーザーが指示するアイコンである。このアイコンに画像データアイコン４０３等をユーザーがドラッグすることで、ＦＡＸ送信するための設定画面が表示され、この設定画面を用いてユーザーが宛先を指定し、送信を指示することで、ドラッグした画像データを送信することができる。
【００６８】
プリント機能アイコン４０５は、プリント機能を起動する場合にユーザーが指示するアイコンである。プリント機能アイコン４０５に画像データアイコン４０３等をユーザーがドラッグすることで、プリントの設定画面が表示され、この設定画面を用いてユーザーがプリント条件を設定し、プリントを指示する。このことで、ドラッグした画像データをプリントすることができる。
【００６９】
また、ＨＤ保存機能アイコン４０６は、画像処理装置内のＨＤ内の特定のユーザー領域にデータを保存する場合に、ユーザーが指示するアイコンである。ＨＤ保存機能アイコンに画像データアイコン４０３等をユーザーがドラッグすることで、ＨＤ保存設定画面が表示され、ＨＤ保存設定画面を用いてユーザーがＨＤの保存場所や保存条件を設定し、保存を指示する。このことで、ドラッグした画像データをＨＤに保存することができる。
【００７０】
図６は、ＰＣ等の携帯端末３０９の操作部等に表示される操作画面を示した図である。
表示画面５０１には、画像処理装置と同様にタッチパネルが設置されており、表示画面上の操作対象を、タッチパネルを介して直接指示することができる。なお、この、携帯端末３０９の表示画面５０１に表示される操作対象への指示については、マウスカーソルをポインティングデバイスによって移動、指示する方法であってもよい。
【００７１】
文書エディタ画面５０２は、文書作成用のエディタアプリケーションの操作画面である。ユーザーは、このエディタアプリケーションを用いて、ＦＡＸ送信するための文書を作成している。
【００７２】
エディタアプリケーションは、画像データ等のオブジェクトを取り込むことができ、ユーザーは、携帯端末内の画像データや画像ファイルをドラッグすることで、作成中の文書に画像データを貼り付けることができる。
【００７３】
例えば、ユーザーは、文書エディタ画面５０２で示す文書の画像貼り付け位置５０３で示す位置に、画像処理装置でスキャンした画像データの中の１枚を貼り付けようとしている。
【００７４】
文書ファイルアイコン５０４は、文書エディタ画面５０２で作成中の文書ファイルをアイコンとして表示している。
【００７５】
画像処理装置でスキャンした画像データを携帯端末３０９の文書エディタ（又は文書ファイル）に取り込むため、ユーザーは、画像処理装置側の操作画面４０１において、画像データアイコン４０３を選択指示する。つまり、タッチパネル上から、画像データアイコン４０３をクリックする。
【００７６】
次に、携帯端末３０９側の操作画面５０１において、画像データを貼り付ける対象である画像貼り付け位置５０３を選択指示する。つまり、携帯端末側の操作画面において、タッチパネル上から画面貼り付け位置５０３をクリックする。
【００７７】
画像処理装置と携帯端末３０９とは、無線通信によるデータ交換が可能になった時点で、アイコン選択情報等の操作画面指示情報をお互いに通知する。
【００７８】
このとき自身の操作部で何らかの指示があった場合は、画像処理装置と携帯端末３０９とは、事前に相手側の操作対象が何らかの指示を受けたかどうかを常に確認する。
【００７９】
確認した結果、事前に相手側の操作対象が選択され、その後自身の処理可能な機能が選択されたとみなされた場合、無線通信を利用して、機器間でデータの送受信を行い、相手側で選択された対象データを、自身で選択された機能に取り込む。
【００８０】
このような処理により、画像処理装置が持つ画像データアイコン４０３に相当するデータが、携帯端末３０９側に転送され、文書エディタに取り込まれる。
【００８１】
図７は、上述したような操作を行なった後の携帯端末３０９の操作部等に表示される操作画面を示した図である。
【００８２】
画像処理装置側の操作画面４０１で表示されていた画像データアイコン４０３のデータが、携帯端末側に転送され、携帯端末側の操作画面５０１において、文書エディタ画面５０２の選択指示位置５０３に貼り付けられている。
【００８３】
ＦＡＸ送信する文書に目的とする画像データが貼り付けられたため、ユーザーは、この文書を一旦保存する。その後、ユーザーは、携帯端末３０９側の操作画面５０１において、保存した文書ファイルを示すアイコン５０４を選択指示する。つまり、携帯端末側の操作画面において、タッチパネル上から文書ファイルアイコン５０４をクリックする。
【００８４】
更に、画像処理装置の操作画面４０１において、ＦＡＸ機能アイコン４０４を選択指示する。つまり、画像処理側の操作画面において、ＦＡＸ機能アイコン４０４をクリックする。このような処理により、今度は、先ほど保存した携帯端末側の文書ファイルが、画像処理装置側に転送され、ＦＡＸ機能処理に取り込まれる。
【００８５】
図８は、上述したような操作を行なった後の画像処理装置のＬＣＤ表示部３０６に表示される操作画面を示した図である。
【００８６】
画像処理装置のＦＡＸ機能に、携帯端末側で編集した文書が取り込まれ、ＦＡＸ送信の設定を行うための設定画面６０１が表示されている。
【００８７】
相手先番号設定部６０２は、ＦＡＸする相手先の電話番号を表示する。ハード的なテンキー等を用いてユーザーが電話番号を入力すると、相手先番号設定部６０２に表示される。
【００８８】
送信確定ボタン６０３は、指示することで相手先を確定し、送信相手先に対して先に指定した文書をＦＡＸ送信する。キャンセルボタン６０４は、指示することでＦＡＸ送信をキャンセルする。
【００８９】
このような一連の操作指示によって、画像処理装置側の画像データが携帯端末側に転送され、その後携帯端末側で編集処理された文書が画像処理装置側に転送され、ＦＡＸ送信される。
【００９０】
上述した例では、ユーザーがＦＡＸ機能アイコン４０４を選択したため、携帯端末の編集処理された文書がＦＡＸ送信された。しかしながら、ユーザーがプリント機能アイコン４０５を選択すれば、携帯端末の編集処理された文書が画像処理装置のプリンタでプリントアウトされる。
【００９１】
このように、ユーザーは、処理したい対象のアイコンと、処理機能を示すアイコンを順番に選択していくだけで、機器間のデータ通信をユーザーが意識することなく、非常に直感的に且つ容易にデータの編集及び画像処理を行うことができる。
【００９２】
また、どちらか一方のデバイスに、両方のデバイスの処理対象アイコン、処理機能アイコンを表示する方法に比べて、表示領域の犠牲にすることなく、狭い操作表示部しか有さないデバイスであっても視認性等を犠牲にすることなく、操作表示を行うことができる。
【００９３】
図９、図１０は、これら一連の処理を実現するためのフローチャートである。
図９は、画像処理装置側における処理フローを示す図である。
ステップＳ８０１では、画像処理装置は、デバイスポート３０８の監視を行う。ステップＳ８０１において、画像処理装置は、特定のレベルの無線信号を検知し、無線通信を行うデバイスがこの台にセットされたかどうかを監視する。
【００９４】
次に、ステップＳ８０２において、デバイスポート３０８に無線通信を行う携帯端末３０９等のデバイスを検知した場合、画像処理装置は、ステップＳ８０３の処理を行う。ステップＳ８０２において、無線通信を行うデバイスを検知しない場合、画像処理装置は、ステップＳ８０１の処理に戻り、デバイスポートの監視を続ける。
【００９５】
なお、本実施形態では、デバイスポート３０８を用いて無線通信による携帯端末との通信を行なっているが、携帯端末との通信が可能であれば、ＬＡＮ１０８やＷＡＮ１１０等の有線通信を使用した他の通信手段であってもよい。
【００９６】
ステップＳ８０３において、画像処理装置は、データ転送モードに移行する。ここで、データ転送モードとは、自機の操作部の操作だけでなく、通信可能な携帯端末の操作部の操作と連動して、相互にデータを送受信するモードである。
【００９７】
また、画像処理装置は、通信可能となった携帯端末に、データ転送モードへの移行指示を通知する。
【００９８】
次に、ステップＳ８０４において、画像処理装置は、操作部１０６におけるユーザーからの指示入力を監視する。同時に、画像処理装置は、通信を行なっている携帯端末からの指示や、デバイスポート３０８における無線通信の通信状態も監視する。
【００９９】
ステップＳ８０５において、画像処理装置は、操作部１０６を介して、ユーザーから機能アイコン選択の操作指示が入力されたかどうかを判断する。ここで、機能アイコンとは、例えば、ＦＡＸ機能アイコン４０４、プリント機能アイコン４０５、ＨＤ保存機能アイコン４０６等である。
【０１００】
機能アイコン選択による操作指示が入力されたと判断した場合、画像処理装置は、ステップＳ８１３の処理を行う。
【０１０１】
ステップＳ８１３において、画像処理装置は、自機の操作部１０６におけるユーザーの操作選択情報の履歴と、携帯端末側から通知されたデータアイコンの選択情報とを比較する。そして、画像処理装置は、自機の機能アイコン選択の直前に携帯端末のアイコンが選択指示されていたかどうかを判断する。ここで、直前とは、予め定められた時間（例えば、５秒等）前以内のことである。以下においても同様である。
【０１０２】
自機の機能アイコン選択の直前に携帯端末側の選択指示が行なわれていないと判断した場合、画像処理装置は、ステップＳ８１５の処理を行う。
【０１０３】
自機の機能アイコン選択の直前に携帯端末側の選択指示が行なわれていると判断した場合、画像処理装置は、ステップＳ８１４の処理を行う。
【０１０４】
ステップＳ８１４では、画像処理装置は、直前に携帯端末側で選択されたアイコンに相当するデータを、無線通信を介して携帯端末側から受信する。
【０１０５】
次に、ステップＳ８１５において、画像処理装置は、携帯端末側から受信したデータ若しくは、自機で直前に選択されたデータアイコンに相当するデータに対して、自機で選択された機能アイコンに相当する処理を行う。ここで、データアイコンとは、例えば、画像データアイコン４０３等である。なお、携帯端末側からデータを受信しなかったり、自機において機能アイコンの選択前にデータアイコンが選択されていなかったりした場合、画像処理装置は、何も処理を行わない。
【０１０６】
このような処理によって、携帯端末側のデータが画像処理装置において、例えば、ＦＡＸ送信されたり、プリントアウトされたりする。
【０１０７】
その後、ステップＳ８０４の処理に戻り、画像処理装置は、ユーザーからの指示入力を監視する。
【０１０８】
ステップＳ８０５において、機能アイコン選択による操作指示が入力されなかったと判断した場合、画像処理装置は、ステップＳ８０６において、操作部１０６を介して、ユーザーからデータアイコン選択の操作指示が入力されたかどうかを判断する。
【０１０９】
データアイコン選択による操作指示が入力されたと判断した場合、画像処理装置は、ステップＳ８１０の処理を行う。
【０１１０】
ステップＳ８１０では、画像処理装置は、データアイコンが選択されたことを示す情報を携帯端末側に通知する。次に、ステップＳ８１１において、画像処理装置は、選択された自機のデータアイコンに相当するデータを、無線通信を介して携帯端末側に送信する。
【０１１１】
その後、ステップＳ８０４の処理に戻り、画像処理装置は、ユーザーからの指示入力を監視する。
【０１１２】
ステップＳ８０６において、操作部１０６を介して、ユーザーからデータアイコン選択の操作指示が入力されなかったと判断した場合、画像処理装置は、ステップＳ８０７において、その他様々なユーザー入力に対する処理を行う。なお、画像処理装置は、ユーザー入力の種類によっては、何も処理を行わない場合もある。これらの処理は、本実施形態には直接関係しないため、ここでは説明を省略する。
【０１１３】
その後、ステップＳ８０８において、画像処理装置は、デバイスポート３０８における無線通信の状態が切断されたかどうか、つまりデバイスポートから携帯端末３０９が無くなったかどうかを判断する。また、画像処理装置は、ユーザーから通信終了の指示があったかどうかを判断する。
【０１１４】
携帯端末は無くなっていない、つまり無線通信が接続状態であると判断した場合や、ユーザーからの無線通信終了指示を受け取っていないと判断した場合、画像処理装置は、ステップＳ８０４の処理に戻り、ユーザーからの指示入力を監視する。
【０１１５】
ステップＳ８０８において、無線通信が接続できないと判断した場合や、ユーザーからの無線通信終了指示を受けたと判断した場合、画像処理装置は、ステップＳ８０９において、画像処理装置のデータ転送モードを終了する。そして、画像処理装置は、携帯端末側にデータ転送モードの終了を通知する。
【０１１６】
図１０は、携帯端末側における処理フローを示す図である。
ステップＳ９０１では、携帯端末は、画像処理装置との通信開始待ち状態である。ステップＳ９０２において、携帯端末は、画像処理装置からデータ転送モード移行通知が送信されてきたかどうかを判断する。
【０１１７】
図９のステップＳ８０３の処理によって、画像処理装置から携帯端末側にデータ転送モード移行通知が送信された場合、ステップＳ９０３において、携帯端末も、データ転送モードに移行する。
【０１１８】
その後、ステップＳ９０４において、携帯端末は、図９のステップＳ８０４と同様にユーザーからの指示入力を監視する。
【０１１９】
ステップＳ９０５において、携帯端末は、貼り付け位置指定の操作指示が入力されたかどうか判断する。貼り付け位置指定の操作指示が入力されたと判断した場合、ステップＳ９１３において、携帯端末は、自機の操作部におけるユーザーの操作選択情報の履歴と、画像処理装置側から通知されたデータアイコンの選択情報とを比較する。
【０１２０】
貼り付け位置指定の操作指示の直前に画像処理装置側のデータアイコン選択指示が行なわれていないと判断した場合、携帯端末は、ステップＳ９１５の処理を行う。
【０１２１】
貼り付け位置指定の操作指示の直前に画像処理装置側のデータアイコン選択指示が行なわれていると判断した場合、携帯端末は、ステップＳ９１４の処理を行う。
【０１２２】
ステップＳ９１４では、携帯端末は、画像処理装置側で選択されたデータアイコンに相当するデータを、無線通信を介して画像処理装置から受信する。
【０１２３】
そして、ステップＳ９１５において、携帯端末は、画像処理装置側から受信したデータ若しくは、自機で直前に選択されたデータアイコンに相当するデータを、指定された自機のアプリケーションの貼り付け位置に貼り付ける処理を実行する。なお、携帯端末側からデータを受信しなかったり、自機において貼り付け位置指定の操作指示の前にデータアイコンが選択されていなかったりした場合、画像処理装置は、何も処理を行わない。なお、携帯端末におけるデータアイコンとは、例えば、図６及び図７等に示した文書ファイルアイコン等に対応する。
【０１２４】
このような処理より、画像処理装置側のデータ等を携帯端末側のアプリケーションの貼り付け位置に容易に張りけることができる。
【０１２５】
ステップＳ９０５において、貼り付け位置指定の操作指示が入力されなかったと判断した場合、携帯端末は、ステップＳ９０６において、ユーザーからデータアイコン選択の操作指示が入力されたかどうかを判断する。
【０１２６】
ユーザーからデータアイコン選択の操作指示が入力されたと判断した場合、携帯端末は、ステップＳ９１０の処理を行う。
【０１２７】
ステップＳ９１０において、携帯端末は、データアイコンが選択されたことを示す情報を画像処理装置側に通知する。次に、ステップＳ９１１において、携帯端末は、選択された自機のデータアイコンに相当するデータを、無線通信を介して画像処理装置側に送信する。つまり、ステップＳ９１１において、携帯端末は、例えば、画像処理装置から送信されたデータを貼り付け、保存した文書ファイルのデータを、無線通信を介して画像処理装置側に送信する。
【０１２８】
その後、ステップＳ９０４の処理に戻り、携帯端末は、ユーザーからの指示入力を監視する。
【０１２９】
ステップＳ９０６において、ユーザーからデータアイコン選択の操作指示が入力されなかったと判断した場合、携帯端末は、ステップＳ９０７において、その他様々なユーザー入力に対する処理を行う。なお、携帯端末は、ユーザー入力の種類によっては、何も処理を行わない場合もある。これらの処理は、本実施形態には直接関係しないため、ここでは説明を省略する。
【０１３０】
ステップＳ９０８では、携帯端末は、画像処理装置との無線通信が切断されたかどうか、画像処理装置からデータ転送モードの終了通知が受信されたかどうか、ユーザーから無線通信の終了指示を受けたかどうかを判断する。
【０１３１】
無線通信の切断や、モードの終了通知の受信、ユーザーによる通信終了指示の受信があったと判断した場合、携帯端末は、ステップＳ９０９において、無線通信を終了し、自機のデータ転送モードを終了する。
【０１３２】
図１１は、ユーザーの操作の一例を示す図である。図１１に示されるように、ユーザーは、画像（又はドキュメント）を画像処理装置においてスキャンする（１）。次に、ユーザーは、エディタアプリケーションを開いた携帯端末装置をデイ倍すポートにセットする（２）。
【０１３３】
続いて、ユーザーは、画像処理装置の画面において、スキャンした画像の一覧の中から、目的の画像をクリックし、選択する（３）。そして、ユーザーは、携帯端末装置の画面において、エディタアプリケーション上の貼り付け位置をクリックし、貼り付け位置を指定する（４）。つまり、（３）及び（４）の操作は、ユーザーによる画像のコピー＆ペースト操作である。この操作によって、文書に画像が貼り付けられる。
【０１３４】
続いて、ユーザーは、携帯端末装置の画面において、画像を貼り付けた文書を保存後、この文書（文書ファイル）のアイコンをクリックし、選択する（５）。続いて、ユーザーは、画像処理装置の画面において、例えば、ＦＡＸ機能アイコンをクリックし、選択する（６）。このような操作によって、画像処理装置のＦＡＸ機能に、画像が貼り付けられた文書ファイルが送られる。
【０１３５】
＜その他の実施形態＞
また、本発明の目的は、以下のようにすることによって達成されることはいうまでもない。即ち、上述した実施形態の機能を実現するソフトウェアのプログラムコードを記録した記録媒体（又は記憶媒体）を、システム或いは装置に供給する。そして、そのシステム或いは装置のコンピュータ（又はＣＰＵやＭＰＵ）が記録媒体に格納されたプログラムコードを読み出し実行する。この場合、記録媒体から読み出されたプログラムコード自体が上述した実施形態の機能を実現することになり、そのプログラムコードを記録した記録媒体は本発明を構成することになる。
【０１３６】
また、コンピュータが読み出したプログラムコードを実行することにより、そのプログラムコードの指示に基づき、コンピュータ上で稼働しているオペレーティングシステム（ＯＳ）等が実際の処理の一部又は全部を行う。その処理によって上述した実施形態の機能が実現される場合も含まれることは言うまでもない。
【０１３７】
更に、記録媒体から読み出されたプログラムコードが、コンピュータに挿入された機能拡張カードやコンピュータに接続された機能拡張ユニットに備わるメモリに書込まれたとする。その後、そのプログラムコードの指示に基づき、その機能拡張カードや機能拡張ユニットに備わるＣＰＵ等が実際の処理の一部又は全部を行い、その処理によって上述した実施形態の機能が実現される場合も含まれることは言うまでもない。
【０１３８】
本発明を前記記録媒体に適用する場合、その記録媒体には、先に説明したフローチャートに対応するプログラムコードが格納されることになる。
【０１３９】
以上、上述した各実施形態によれば、画像処理装置と携帯端末の両者の表示部（又は操作部）を使用することで、直感的でわかりやすい操作性を実現でき、両者間のデータ送受信作業を伴う各種画像処理作業の効率化を図ることができる。
また、一方の表示部に、もう一方のファイルやフォルダを表示する必要がないので、表示領域が狭い表示部を持つ機器や、ウィンドウシステム等を持たない機器でも、操作性を犠牲にすることなく、両者間のデータ交換を容易に指示することができるようになる。
つまり、上述した各実施形態によれば、データ送受信作業を伴う各種画像処理作業の効率化を図ることができる。
【０１４０】
以上、本発明の好ましい実施形態について詳述したが、本発明は係る特定の実施形態に限定されるものではなく、特許請求の範囲に記載された本発明の要旨の範囲内において、種々の変形・変更が可能である。
【図面の簡単な説明】
【０１４１】
【図１】本実施形態における画像処理装置の内部構成を示すブロック図である。
【図２】操作部１０６及びその周辺の構成を示すブロック図である。
【図３】本実施形態における携帯端末の内部構成を示すブロック図である。
【図４】本実施形態における画像処理装置等の概観を示す図である。
【図５】画像処理装置のＬＣＤ表示部３０６に表示される操作画面（又は表示画面）を示した図である。
【図６】ＰＣ等の携帯端末３０９の操作部等に表示される操作画面を示した図である。
【図７】上述したような操作を行なった後の携帯端末３０９の操作部等に表示される操作画面を示した図である。
【図８】上述したような操作を行なった後の画像処理装置のＬＣＤ表示部３０６に表示される操作画面を示した図である。
【図９】画像処理装置側における処理フローを示す図である。
【図１０】携帯端末側における処理フローを示す図である。
【図１１】ユーザーの操作の一例を示す図である。
【符号の説明】
【０１４２】
３０６  ＬＣＤ表示部
３０７  タッチパネル
３０８  デバイスポート
３０９  携帯端末
４０３  画像データアイコン
４０４  ＦＡＸ機能アイコン
４０５  プリント機能アイコン
４０６  ＨＤ保存機能アイコン
５０４  文書ファイルアイコン
【図１】
2008060834.tif 000003
【図２】
2008060834.tif 000004
【図３】
2008060834.tif 000005
【図４】
2008060834.tif 000006
【図５】
2008060834.tif 000007
【図６】
2008060834.tif 000008
【図７】
2008060834.tif 000009
【図８】
2008060834.tif 000010
【図９】
2008060834.tif 000011
【図１０】
2008060834.tif 000012
【図１１】
2008060834.tif 000013